(57)【要約】      （修正有）【課題】組込式加熱調理器の包装状態における耐衝撃性能を向上させる。【解決手段】平面視矩形の開放部が上面に形成された加熱調理器本体をキッチンキャビネットの天板に形成した開口から挿入し、開放部周縁に備える鍔部を開口の周縁に係止させた後、鍔部および開放部がトッププレート０２によって覆われて設置状態となる、組込式加熱調理器の包装に用いられる組込式加熱調理器用包装緩衝材であって、組込式加熱調理器の包装状態において、包装容器に収容された加熱調理器本体の上方に載置される位置決め部材４０と、水平方向に位置決めされてこの位置決め部材の上方に載置されるトッププレート０２との間に介在し、トッププレートに下から当接する矩形の天面５１と、この天面の四方の夫々の辺を下向きに折り曲げて垂設される側壁体とを備え、天面および側壁体が、１枚のブランクを折り曲げて形成されている。【選択図】図４
2013169980.tif 000002
【特許請求の範囲】
【請求項１】
上方に開放した平面視矩形の開放部が上面に形成された加熱調理器本体をキッチンキャビネットの天板に形成した開口から挿入し、前記開放部周縁に備える鍔部を前記開口の周縁に係止させた後、前記鍔部および前記開放部がトッププレートによって覆われて設置状態となる、組込式加熱調理器の包装に用いられる組込式加熱調理器用包装緩衝材であって、
前記設置状態となる前の前記組込式加熱調理器の包装状態において、包装容器に収容された前記加熱調理器本体の上方に載置される位置決め部材と、この位置決め部材によって水平方向に位置決めされてこの位置決め部材の上方に載置される前記トッププレートとの間に介在し、
前記トッププレートに下から当接する矩形の天面と、この天面の四方の夫々の辺を下向きに折り曲げて垂設される側壁体とを備え、前記天面および前記側壁体が、１枚のブランクを折り曲げて形成されていることを特徴とする組込式加熱調理器用包装緩衝材。
【請求項２】
前記天面が、前記包装状態において前記トッププレート全体の下側に対向する領域を複数の領域に分割する形態で分割された複数の天面から成り、これら複数の天面の内の一の天面から垂設される側壁体の下端と、前記複数の天面の内の一の天面と隣接する他の天面から垂設される側壁体の下端とが連なっており、前記複数の天面、および、前記複数の天面から垂設される全ての側壁体が１枚のブランクを折り曲げて形成されていることを特徴とする請求項１に記載の組込式加熱調理器用包装緩衝材。
【請求項３】
前記加熱調理器本体には前記開放部の上端よりも上方に突出する加熱部を備え、前記包装状態において前記位置決め部材に前記加熱部が挿通し、前記天面には加熱部が挿通する挿通孔が穿設されていることを特徴とする請求項１または請求項２に記載の組込式加熱調理器用包装緩衝材。
【発明の詳細な説明】
【技術分野】
【０００１】
本発明は、一般家庭で使用する組込式加熱調理器用包装緩衝材に関するものである。
【背景技術】
【０００２】
従来、調理器本体をキッチンキャビネットの天板開口部から挿入しキャビネットに組み込んで設置する組込式調理器に用いられる包装緩衝材が知られている（例えば特許文献１）。
【０００３】
このような包装緩衝材が用いられる加熱調理器の場合、加熱調理器をキャビネットに組み込んだ後に加熱調理器の上方の開口部を覆うトッププレートを備えており、このトッププレートも加熱調理器と共に包装され保護されることになる。
【０００４】
特許文献１において、包装緩衝材の一部を構成する前桟パッドは、調理器本体の上面前側に、前側部分が調理器本体の前面より突出するような態様で配設されて調理器本体の前面を保護する機能を果たすように構成されているとともに、その上に載置されるトッププレートの下面側から前側上面にまで回り込み、トッププレートの前側部分を挟み込むことによりトッププレートを所定の位置に保持する回り込み保持部を備えている。
【０００５】
そして、この加熱調理器の包装状態において、加熱調理器の上方の開口部と加熱調理器の上方の開口部の上に載置されるトッププレートとの間には上記前桟パッドが介在することで、加熱調理器の上方の開口部周縁とトッププレートとが直接当接しないようになり、上記前桟パッドは、調理器本体の前面を保護する機能を果たすことに加えて、加熱調理器の上方の開口部周縁とトッププレートとの間に備える緩衝材としての機能も果たしており、上記前桟パッドによってトッププレートの下面を保護している。
【先行技術文献】
【特許文献】
【０００６】
【特許文献１】特開２００４−２３１２７１号公報
【発明の概要】
【発明が解決しようとする課題】
【０００７】
しかしながら、昨今多く見かけられるように、加熱調理器のトッププレートがガラスなどの材料により構成される場合には、トッププレートの重量は大きく、輸送中においてトッププレートに加えられる衝撃の回避には十分注意しなければならないものであるにも関わらず、上記特許文献１における前桟パッドは、その構造上、剛性が低いものであり、熱調理器の上方の開口部周縁とトッププレートとの間に備える緩衝材としての剛性を高め、加熱調理器の包装状態における耐衝撃性能を向上させるという課題があり、改善が望まれるものであった。
【０００８】
本発明は、上記の課題を解決するもので、加熱調理器の包装状態における耐衝撃性能に優れた、組込式加熱調理器用の包装緩衝材を提供することを目的とする。
【課題を解決するための手段】
【０００９】
上記従来の課題を解決するための、本発明による組込式加熱調理器用包装緩衝材の第１特徴は、上方に開放した平面視矩形の開放部が上面に形成された加熱調理器本体をキッチンキャビネットの天板に形成した開口から挿入し、前記開放部周縁に備える鍔部を前記開口の周縁に係止させた後、前記鍔部および前記開放部がトッププレートによって覆われて設置状態となる、組込式加熱調理器の包装に用いられる組込式加熱調理器用包装緩衝材であって、前記設置状態となる前の前記組込式加熱調理器の包装状態において、包装容器に収容された前記加熱調理器本体の上方に載置される位置決め部材と、この位置決め部材によって水平方向に位置決めされてこの位置決め部材の上方に載置される前記トッププレートとの間に介在し、前記トッププレートに下から当接する矩形の天面と、この天面の四方の夫々の辺を下向きに折り曲げて垂設される側壁体とを備え、前記天面および前記側壁体が、１枚のブランクを折り曲げて形成されている点にある。
【００１０】
上記構成により、該組込式加熱調理器用包装緩衝材において、トッププレートに下から当接する矩形の天面の四方には、この天面の四方の夫々の辺を下向きに折り曲げて垂設される側壁体を備えているから、下向きに折り曲げて垂設された側壁体によってトッププレートの荷重を支持することができることになり、該組込式加熱調理器用包装緩衝材の剛性は高いものとすることができ、トッププレートがガラス板などの材料を主体にして構成されておりその重量が大きい場合で、組込式加熱調理器が包装状態において包装容器ごと落下したときにも、トッププレートが撓んでしまうことが抑制されて、トッププレートを構成するガラスなどの材料が破損することを防ぐことができ、組込式加熱調理器の包装状態における耐衝撃性能が向上する。
【００１１】
また、トッププレートが金属の板材を主体にして構成されておりその重量が大きい場合で、組込式加熱調理器が包装状態において包装容器ごと落下したときにも、トッププレートが撓んでしまうことが抑制されて、トッププレートを構成する金属の板材が塑性変形することを防ぐことができ、組込式加熱調理器の包装状態における耐衝撃性能が向上する。
【００１２】
しかも、前記天面および前記側壁体が、１枚のブランクを折り曲げて形成されているから、簡単に低コストで組込式加熱調理器用包装緩衝材を構成することが可能となる。
【００１３】
要するに、本発明の第１特徴構成によって、組込式加熱調理器の包装状態における耐衝撃性能の向上が図れ、しかも、簡単に低コストで組込式加熱調理器用包装緩衝材を構成することが可能となる。
【００１４】
また、本発明による組込式加熱調理器用包装緩衝材の第２特徴構成として、前記天面が、前記包装状態において前記トッププレート全体の下側に対向する領域を複数の領域に分割する形態で分割された複数の天面から成り、これら複数の天面の内の一の天面から垂設される側壁体の下端と、前記複数の天面の内の一の天面と隣接する他の天面から垂設される側壁体の下端とが連なっており、前記複数の天面、および、前記複数の天面から垂設される全ての側壁体が１枚のブランクを折り曲げて形成されていることが好ましい。
【００１５】
このように構成した場合、上記効果に加えて、複数備える各天面の四方の夫々の辺から下向きに折り曲げて垂設された側壁体によってトッププレートの荷重を支持することができることになり、該組込式加熱調理器用包装緩衝材の剛性はさらに高いものとすることができ、組込式加熱調理器の包装状態における耐衝撃性能がさらに向上する。
また、このように構成した場合も、複数の天面の内の一の天面から垂設される側壁体の下端と、複数の天面の内の一の天面と隣接する他の天面から垂設される側壁体の下端とが連なっており、前記複数の天面、および、前記複数の天面から垂設される全ての側壁体が１枚のブランクを折り曲げて形成されているから、簡単に低コストで組込式加熱調理器用包装緩衝材を構成することが可能となる。
【００１６】
要するに、第２特徴構成により、簡単で低コストに、組込式加熱調理器の包装状態における耐衝撃性能を一層向上させることが可能になる。
【００１７】
また、第３特徴構成として、前記加熱調理器本体には前記開放部の上端よりも上方に突出する加熱部を備える場合、前記包装状態において前記位置決め部材に前記加熱部が挿通し、前記天面には加熱部が挿通する挿通孔が穿設されていることが好ましい。
【００１８】
このように構成した場合、上記第１特徴構成による効果または上記第２特徴構成による効果のいずれかに加えて、包装対象である組込式加熱調理器が組込式ガスコンロや組込式電気コンロのように、加熱調理器本体に開放部の上端よりも上方に突出するガスバーナや電気ヒータ等の加熱部を備える場合にも、天面には加熱部が挿通する挿通孔が穿設されているから、組込式加熱調理器が包装状態において包装容器ごと落下したときに、トッププレートが撓んでしまうことで組込式加熱調理器用包装緩衝材が撓んだときにも、開放部の上端よりも上方に突出するガスバーナ等の加熱部が天面に当接することなく天面に穿設された挿通孔に挿通されることで、天面の変形が抑制されて、天面の変形に起因する組込式加熱調理器用包装緩衝材の剛性の低下による組込式加熱調理器の包装状態における耐衝撃性能の劣化を防止することができる。
【発明の効果】
【００１９】
本発明の第１特徴構成によって、組込式加熱調理器の包装状態における耐衝撃性能の向上が図れ、しかも、簡単に低コストで組込式加熱調理器用包装緩衝材を構成することが可能となる。
【００２０】
本発明の第２特徴構成によって、簡単で低コストに、組込式加熱調理器の包装状態における耐衝撃性能を一層向上させることが可能になる。
【００２１】
本発明の第３特徴構成によって、包装対象である組込式加熱調理器が組込式ガスコンロや組込式電気コンロのように、加熱調理器本体に開放部の上端よりも上方に突出するガスバーナや電気ヒータ等の加熱部を備える場合にも、天面の変形が抑制されて、天面の変形に起因する組込式加熱調理器用包装緩衝材の剛性の低下による組込式加熱調理器の包装状態における耐衝撃性能の劣化を防止することができる。
【産業上の利用可能性】
【００２２】
種々の加熱方式を用いた、組込式加熱調理器の包装に広く適用可能である。
【図面の簡単な説明】
【００２３】
【図１】本発明の包装緩衝材が適用される組込式加熱調理器の全体構成図。
【図２】同上の組込式加熱調理器がキッチンキャビネットに設置された状態を示す図。
【図３】同上の組込式加熱調理器がキッチンキャビネットに挿入され、前記鍔部および前記開放部がトッププレートによって覆われる前の状態を示す図。
【図４】同上の組込式加熱調理器の包装手順を示す図。
【図５】本発明の包装緩衝材の実施例を示す斜視図。
【図６】同上の包装緩衝材の実施例におけるブランクの平面図。
【図７】同上の包装緩衝材の実施例において側壁体が形成される途中の状態を示す斜視図。
【図８】同上の包装緩衝材の別実施例の（ａ）は斜視図、（ｂ）は側壁体が形成される途中の状態を示す斜視図、（ｃ）はブランクの平面図。
【図９】同上の包装緩衝材の別実施例の（ａ）は斜視図、（ｂ）は側壁体が形成される途中の状態を示す斜視図、（ｃ）はブランクの平面図。
【図１０】同上の包装緩衝材の別実施例の、（ａ）は斜視図、（ｂ）は側壁体が形成される途中の状態を示す斜視図、（ｃ）はブランクの平面図。
【発明を実施するための形態】
【００２４】
以下、本発明の実施の形態について図面を参照しながら説明する。なお、この実施の形態によって本発明が限定されるものではない。
図１は、本発明が適用される組込式加熱調理器としてのガスを燃料とするドロップインコンロＡの全体構成を示すものであり、図２は上記ドロップインコンロＡがキッチンキャビネット２３に設置された状態を示す。
【００２５】
図２に示すように、ドロップインコンロ本体０１はキッチンキャビネット２３の上面の開口部７ａ（図３参照）から落とし込まれて設置される。また、キッチンキャビネット２３の上面の開口部７ａよりも大きい、ドロップインコンロ本体０１の上部開口を覆うための、ガラス板を主体として構成されるトッププレート０２と、トッププレート０２の下方には図示しないバーナ本体を備え、バーナの炎口部０３がトッププレート０２に設けた開口を貫通してトッププレート０２の上方に露出させる。
【００２６】
図３に示すように、ドロップインコンロ本体０１には上方に開放した平面視矩形の開放部１１が上面に形成されており、キッチンキャビネット２３の天板に形成した上面の開口部７ａから挿入され、開放部１１の周縁に備える鍔部１ｆを上面の開口部７ａの周縁に係止させた後、鍔部１ｆおよび開放部１１がトッププレート０２（図１、図２）によって覆われて図２に示す設置状態となるものである。
【００２７】
つぎに、ドロップインコンロＡの包装形態について説明する。
図４に示すように、ドロップインコンロ本体０１の前面に備える操作パネルを覆うようにして、操作パネル保護パッド３８を貼付した後、ドロップインコンロ本体０１の後下側の左右側面と底面には、パルプモールドで成型された側パッド３２を、ドロップインコンロ本体０１の前方の底面側の角には、ダンボール紙を折って構成された前パッド３３を、夫々充てがい、底面３５と４方の側面３４を有し上方が開放された、ダンボール紙により成る包装容器としての外箱３１に収容する。なお、このとき、五徳等の付属部品は、ドロップインコンロ本体０１やトッププレート０２から取り外されており、後述する部品パッド６０に収納される。
【００２８】
この状態で、外箱３１とドロップインコンロ本体０１の前面との間には前パッド３３が存在し、外箱３１とドロップインコンロ本体０１の左右の両側面との間には側パッド３２が存在し、外箱３１とドロップインコンロ本体０１の後面との間にも側パッド３２が存在し、外箱３１とドロップインコンロ本体０１の底面との間には前パッド３３および側パッド３２が存在することで、前パッド３３および側パッド３２は、外箱３１とドロップインコンロ本体０１との間に挿入されたスペーサとなり、外箱３１とドロップインコンロ本体０１とが離間し、ドロップインコンロＡの包装が完了した状態における耐衝撃性を確保している。なお、上記４方の側面３４の上端には、ドロップインコンロＡの包装が完了した状態において外箱３１の上蓋面３６を構成することになる４つのフラップ３７が連接されている。
【００２９】
そして、外箱３１には、ドロップインコンロ本体０１の上方から位置決め部材４０が挿入される。この位置決め部材４０は、平面視矩形で上方に凹部４１が形成されており、四方の外側面４２が外箱３１の側面３４の内側と摺接しながら、外箱３１に収容されているドロップインコンロ本体０１の開放部１１（図３）を覆うように外箱３１内におけるドロップインコンロ本体０１の鍔部１ｆ（図３）の上に載置される。
【００３０】
位置決め部材４０の凹部４１の底壁４３には、ドロップインコンロ本体０１の鍔部１ｆより上方に位置するバーナの炎口部０３（図１、図２）の挿通を許容する挿通許容部４４が形成されており、位置決め部材４０を外箱３１内におけるドロップインコンロ本体０１の鍔部１ｆの上に載置したときに、位置決め部材４０の凹部４１内にバーナの炎口部０３（図４においては図示していない）がその上端を覗かせている。
【００３１】
そして、位置決め部材４０の凹部４１内には、緩衝材としてのプレートパッド５０が嵌入、載置される。なお、図４に示すように、プレートパッド５０の天面５１には炎孔部０３が挿通する挿通孔５３が穿設されており、プレートパッド５０が多少撓んでもプレートパッド５０の天面５１と炎孔部０３とが当接しないように構成されており、天面５１と炎孔部０３とが当接して天面５１が変形してプレートパッド５０の強度が低下しないようにしてある。なお、プレートパッド５０については、後で更に詳述する。
【００３２】
そして、位置決め部材４０の凹部４１内のプレートパッド５０の天面５１上にトッププレート０２が載置される。この状態で、位置決め部材４０の外側面４２が外箱３１の側面３４の内側と当接し、トッププレート０２が位置決め部材４０の凹部４１に嵌入してトッププレート０２の外周が位置決め部材４０の凹部４１の内側の側面と当接して、トッププレート０２は、位置決め部材４０によって外箱３１と水平方向に位置決めされ、プレートパッド５０は、位置決め部材４０によって外箱３１と水平方向に位置決めされたトッププレート０２と、位置決め部材４０との間に介在することになる。
【００３３】
さらに、位置決め部材４０の凹部４１内のプレートパッド５０の天面５１上にトッププレート０２が載置された後、外箱３１内における位置決め部材４０の上に、五徳等の付属部品（図４においては図示しない）が収納された部品パッド６０が挿入載置された後、４方の側面３４の上端に連接されている４つのフラップ３７を内側に折り曲げることで外箱３１の上蓋面３６を形成した後、フラップ３７をステープル６２等によって固定した後、適宜ポリプロピレンバンド６１で結束されてドロップインコンロＡの包装が完了する（図４（ｂ）参照）。
【００３４】
プレートパッド５０について説明を加える。プレートパッド５０は一枚のダンボール紙を折り曲げて形成されており、本実施形態におけるプレートパッド５０の斜視図を図５に、プレートパッド５０のブランク５５の平面図を図６に、一枚のダンボール紙が折り曲げられてプレートパッド５０が形成されていく途中の状態を示す斜視図を図７に示す。
【００３５】
図５〜図７に示すように、プレートパッド５０は、ドロップインコンロＡの包装状態においてトッププレート０２に下から当接する矩形の天面５１と天面５１の四方の夫々の辺を下向きに折り曲げて垂設される側壁体５２とを備えており天面５１および側壁体５２が、１枚のブランク５５を折り曲げて形成されている。
【００３６】
本実施形態においては、包装状態においてトッププレート０２全体の下側に対向する天面５１の領域を、前後３の複数領域に分割した３箇所の天面５１から成り、これら複数の天面５１の内の一の天面５１から垂設される側壁体５２の下端と、複数の天面５１の内の一の天面５１と隣接する他の天面５１から垂設される側壁体５２の下端とが連接部５４（図６）で連なっており、複数の天面５１、および、複数の天面５１から垂設される全ての側壁体５２が１枚のブランク５５を折り曲げて形成されている。なお、図６において、連接部５４を破線で示してある。
【００３７】
天面５１の４方の各辺から側壁体５２が垂設されていることで、側壁体５２によってトッププレート０２の荷重を支持することができることになり、プレートパッド５０の剛性を高いものとすることができる。したがって、トッププレート０２がガラス板などの材料を主体にして構成されておりその重量が大きいものであっても、ドロップインコンロＡが包装状態において外箱３１ごと落下したときにも、トッププレート０２が撓んでしまうことが抑制されて、トッププレート０２を構成するガラスが破損することを防ぐことができ、ドロップインコンロＡの包装状態における耐衝撃性能を向上させてある。
【００３８】
特に、本発明が適用されるドロップインコンロＡのように、トッププレート０２の前後方向の奥行き寸法よりも、トッププレート０２の左右方向の幅寸法の方が大きい場合には、分割された３箇所の天面５１の夫々の前辺と後辺の合計６つの辺に、トッププレート０２の左右方向の幅寸法の略全長に亘り連続した側壁体５２が形成されることになり、プレートパッド５０の剛性を優れて高いものとすることができる。
〔別実施形態〕
上記実施形態では、天面５１が、包装状態においてトッププレート０２全体の下側に対向する天面５１の領域を、前後３の複数領域に分割した３箇所の天面５１から成るものであったが、以下の別実施形態に示すように、分割する領域の数は適宜変更可能であり、分割する領域の数によって本発明が限定されるものではない。
【００３９】
（１）図８に示すように、トッププレート０２の形状等に応じて、プレートパッド５０における天面５１が、包装状態においてトッププレート０２全体の下側に対向する天面５１の領域を、左右３の複数領域に分割した３箇所の天面５１から成るように構成してもよい。なお、図８（ｃ）においても、隣接する天面５１から垂設される側壁体の下端同士が連接されている連接部を破線で示してある。
【００４０】
（２）図９に示すように、トッププレート０２の形状等に応じて、プレートパッド５０における天面５１が、包装状態においてトッププレート０２全体の下側に対向する天面５１の領域を、前後２×左右３＝６の複数領域に分割した６箇所の天面５１から成るように構成してもよい。なお、図９（ｃ）においても、隣接する天面５１から垂設される側壁体の下端同士が連接されている連接部を破線で示してある。
【００４１】
（３）図１０に示すように、包装状態においてトッププレート０２全体の下側に対向する、プレートパッド５０における天面５１の領域を分割せず、１つの天面５１のみが形成されているように構成してもよい。
【００４２】
（４）上記実施形態においては、プレートパッド５０の天面５１には炎孔部０３が挿通する挿通孔５３が形成されているが、プレートパッド５０の天面５１に炎孔部０３が挿通する挿通孔５３が形成されないように構成してもよい。
（５）上記実施形態においては、ガスを燃料とするドロップインコンロＡを、本発明を用いた包装の対象として説明したが、本発明を用いた包装の対象としてはガスを燃料とするドロップインコンロに限定されず、種々方式の加熱部を備えた組込式加熱調理器の包装に広く適用可能である。
【符号の説明】
【００４３】
０１    ドロップインコンロ本体
０２    トッププレート
０３    炎口部（バーナ）
１１    開放部
１ｆ    鍔部
２３    キッチンキャビネット
３１    外箱（包装容器）
３２    側パッド
３３    前パッド
３４    外箱の側面
３５    外箱の底面
３６    外箱の上蓋面
３７    フラップ
３８    操作パネル保護パッド
４０    位置決め部材
４１    位置決め部材の凹部
４２    位置決め部材の外側面
４３    位置決め部材の凹部の底壁
４４    挿通許容部
５０    プレートパッド（緩衝材）
５１    天面
５２    側壁体
５３    挿通孔
５４    連接部
５５    ブランク
６０    部品パッド
６１    ポリプロピレンバンド
６２    ステープル
７ａ    上面の開口部
Ａ      ドロップインコンロ
【図１】
2013169980.tif 000003
【図３】
2013169980.tif 000004
【図５】
2013169980.tif 000005
【図６】
2013169980.tif 000006
【図７】
2013169980.tif 000007
【図８】
2013169980.tif 000008
【図９】
2013169980.tif 000009
【図１０】
2013169980.tif 000010
【図２】
2013169980.tif 000011
【図４】
2013169980.tif 000012